(57)【要約】【課題】衛生車により便所から排泄物を吸引、排出する際に発生する不快な悪臭を異なる臭気に変調して、悪臭による害を容易に低減することができる臭気変調方法を提供する。【解決手段】衛生車の糞尿タンクを真空ポンプにより減圧して、前記糞尿タンクに接続されたホースから排泄物を吸引する工程、及び／又は、前記糞尿タンクを真空ポンプにより加圧して、前記糞尿タンクに接続されたホースから排泄物を排出する工程を有し、  前記真空ポンプに用いられる潤滑油が、臭気変調用油剤を含有することを特徴とする臭気変調方法。【選択図】なし【特許請求の範囲】
【請求項１】
衛生車の糞尿タンクを真空ポンプにより減圧して、前記糞尿タンクに接続されたホースから排泄物を吸引する工程、及び／又は、前記糞尿タンクを真空ポンプにより加圧して、前記糞尿タンクに接続されたホースから排泄物を排出する工程を有し、
前記真空ポンプに用いられる潤滑油が、臭気変調用油剤を含有することを特徴とする臭気変調方法。
【請求項２】
前記臭気変調用油剤は、臭気変調成分及び油剤成分を含有する、請求項１に記載の臭気変調方法。
【請求項３】
前記臭気変調成分は、フラン化合物及びピラン化合物から選択される少なくとも一種の含酸素複素環式化合物を含む、請求項２に記載の臭気変調方法。
【請求項４】
前記含酸素複素環式化合物の含有量は、臭気変調成分を１００質量％として１〜２０質量％である、請求項３に記載の臭気変調方法。
【請求項５】
前記フラン化合物は、フラネオール、フルフラール、５−メチルフルフラール、フルフリルメルカプタン、フルフリールアルコール、２−プロピオニルフラン、２−エチルフラン、メントフラン、２−メチル−３−フランチオール、２−メチル−３−テトラヒドロフランチオール、２−メチル−４，５−ジヒドロ−３−フランチオール、２−メチルフラン、２−メチルテトラヒドロフラン、２−ヘキサノイルフラン、２−ペンチルフラン、２−プロピルフラン、２−（３−フェニルプロピル）テトラヒドロフラン、２，３−ジヒドロベンゾフラン、２，４−ジメチル−４−フェニルテトラヒドロフラン、２−フルフリル−５−メチルフラン、２−ヘプチルフラン、２−メチルベンゾフラン、２−メチル−５−プロピオニルフラン、２−（５−エテニル−５−メチルテトラヒドロフラン−２−イル）−プロパナール、３−｛［２−メチル−（２ｏｒ４），５−ジヒドロ−３−フリル］チオ｝−２−メチルテトラヒドロフラン−３−チオール、２−エテニル−５−イソプロペニル−２−メチルテトラヒドロフラン、５−メチル−２−フランメタンチオール、６−メチル−２，３−ジヒドロチエノ［２，３−ｃ］フラン、２，５−ジメトキシテトラヒドロフラン、３−アセチル−２，５−ジメチルフラン、２−アセチル−５−メチルフラン、２−アセチルフラン、２−ブチルフラン、２，５−ジエチルテトラヒドロフラン、ジフルフリルジスルフィド、ジフルフリルエーテル、ジフルフリルスルフィド、及び２，５−ジメチル−３−フランチオールからなる群より選択される少なくとも一種である、請求項３又は４に記載の臭気変調方法。
【請求項６】
前記フラン化合物の含有量は、臭気変調成分を１００質量％として０．１〜１０質量％である、請求項３〜５のいずれかに記載の臭気変調方法。
【請求項７】
前記ピラン化合物は、マルトール、エチルマルトール、４−アセトキシ−３−ペンチルテトラヒドロピラン、３，５−ジヒドロキシ−６−メチル−２，３−ジヒドロ−４（４Ｈ）−ピラノン、６−エテニル−２，２，６−トリメチルテトラヒドロピラン、５−メチル−３−ブチルテトラヒドロピラン−４−イルアセテート、オクタヒドロ−２Ｈ−１−ベンゾピラン−２−オン、４−メチル−２−（２−メチル−１−プロペニル）テトラヒドロピラン、テアスピラン、ビティスピラン、（２Ｓ，４ａＲ，８ａＳ）−２，５，５，８ａ−テトラメチル−３，４，４ａ，５，６，８ａ−ヘキサヒドロ−２Ｈ−１−ベンゾピラン、６−エテニル−２，２，６−トリメチルテトラヒドロ−３（４Ｈ）−ピラノン、６−ヒドロキシジヒドロテアスピラン、６−アセトキシジヒドロテアスピラン、及び２，６−ジエチル−５−イソプロピル−２−メチルテトラヒドロ−２Ｈ−ピランからなる群より選択される少なくとも１種である、請求項３〜６のいずれかに記載の臭気変調方法。
【請求項８】
前記ピラン化合物の含有量は、臭気変調成分を１００質量％として１〜１０質量％である、請求項３〜７のいずれかに記載の臭気変調方法。
【請求項９】
前記臭気変調成分が、更に、バニリン系化合物を含有する、請求項３〜８のいずれかに記載の臭気変調方法。
【請求項１０】
前記バニリン系化合物は、バニリン、エチルバニリン、アセトアルデヒドエチルバニリンアセタール、バニリンアセテート、エチルバニリンイソブチレート、アセトバニロン、エチルバニレート、エチルバニリンプロピレングリコールアセタール、メチルバニレート、バニリックアシド、バニリンイソブチレート、ブチルバニレート、バニリン２，３−ブタンジオールアセタール、及びバニリンラクテートからなる群より選択される少なくとも一種である、請求項９に記載の臭気変調方法。
【請求項１１】
前記バニリン系化合物の含有量は、臭気変調成分を１００質量％として５〜２５質量％である、請求項９又は１０に記載の臭気変調方法。
【請求項１２】
前記油剤成分は、非イオン性界面活性剤を含む、請求項２〜１１のいずれかに記載の臭気変調方法。
【請求項１３】
前記油剤成分は、グリセリン脂肪酸エステル系非イオン性界面活性剤、ソルビタン脂肪酸エステル系非イオン性界面活性剤、ポリオキシエチレンソルビタン脂肪酸エステル系非イオン性界面活性剤、及びポリオキシソルビトール脂肪酸エステル系非イオン性界面活性剤からなる群より選択される少なくとも一種の脂肪酸エステル系非イオン性界面活性剤を含む、請求項２〜１１のいずれかに記載の臭気変調方法。
【請求項１４】
前記油剤成分は、グリセロールモノオレエート、ソルビタンモノラウレート、ソルビタンモノオレエート、ソルビタントリオレエート、ソルビタンセキスオレエート、ポリオキシエチレンソルビタンモノオレエート、及びポリオキシエチレンソルビタントリオレエートからなる群より選択される少なくとも一種を含む、請求項２〜１１のいずれかに記載の臭気変調方法。
【請求項１５】
前記油剤成分は、ＨＬＢが１１．０以下である、請求項２〜１４のいずれかに記載の臭気変調方法。
【請求項１６】
前記油剤成分の含有量は、臭気変調成分を１００質量部として、１０〜４００質量部である、請求項２〜１５のいずれかに記載の臭気変調方法。
【請求項１７】
前記潤滑油中の前記臭気変調用油剤の含有量は０．０１〜９９ｖｏｌ％である、請求項１〜１６のいずれかに記載の臭気変調方法。
【発明の詳細な説明】
【技術分野】
【０００１】
本発明は、臭気変調方法に関する。
【背景技術】
【０００２】
従来、衛生車（バキュームカー）により便所から排泄物をくみ取る際の悪臭が問題となっている。一般に、衛生車では排泄物を吸引する場合、糞尿タンク内を真空ポンプにより減圧し、当該糞尿タンクに接続されたホースから排泄物を糞尿タンク内に吸引する。また、排泄物を排出する場合、糞尿タンク内を真空ポンプにより加圧し、当該糞尿タンクに接続されたホースから排泄物を糞尿タンク外に排出する。
【０００３】
上記排泄物の吸引や排出の際に、糞尿タンク内の悪臭を含む空気を外部に排出することとなり、作業者や近隣住民に対し、不快感を感じさせるため問題となっている。
【０００４】
特に、排泄物の吸引の際は、糞尿タンクの上部から糞尿タンク内の悪臭を含む空気を真空ポンプにより吸引して減圧し、真空ポンプを介して外部に排気する必要があるため、上記悪臭が発生し易い。排気の際は、糞尿タンクの排気口に備え付けられた脱臭器（フィルター）により脱臭されるが、悪臭の低減が十分でないという問題がある。
【０００５】
上記悪臭を低減する手段として、バキューム車の糞尿タンクから大気に通じる配管系に介装した真空ポンプを運転して糞尿の吸排を行う際に、真空ポンプの循環管路に、脱臭剤を混入した循環水を貯溜する補水槽を具備したバキューム車の脱臭装置が提案されており、脱臭剤として苛性ソーダ、次亜塩素酸ソーダを用いる消臭方法が提案されている（例えば、特許文献１参照）。
【０００６】
しかしながら、糞尿等の排泄物の悪臭は完全には消え難く、上述のような消臭剤を用いた方法では、不快な悪臭を十分に消臭することができないという問題がある。
【０００７】
また、上述の消臭方法では、脱臭剤を混入した循環水を貯水する補水槽や、循環水の循環設備を有する必要があり、大がかりな装置が必要となるという問題がある。
【０００８】
従って、衛生車により便所から排泄物を吸引、排出する際に発生する不快な悪臭を容易に低減できる手段の開発が求められている。
【先行技術文献】
【特許文献】
【０００９】
【特許文献１】実公平４−２２２９号公報
【発明の概要】
【発明が解決しようとする課題】
【００１０】
本発明は、衛生車により便所から排泄物を吸引、排出する際に発生する不快な悪臭を異なる臭気に変調して、悪臭による害を容易に低減することができる臭気変調方法を提供することを目的とする。
【課題を解決するための手段】
【００１１】
本発明者は、鋭意研究を重ねた結果、衛生車の糞尿タンク内の減圧、加圧を行うための真空ポンプに用いる潤滑油が臭気変調用油剤を含有する構成とすれば、真空ポンプに空気を通過させることにより、上記潤滑油中の臭気変調用油剤の作用により悪臭を異なる臭気に変調して他の不快でない臭いとすることができ、排泄物の悪臭による不快感を十分に低減することができることを見出し、本発明を完成するに至った。
【００１２】
即ち、本発明は、下記の臭気変調方法に関する。
１．衛生車の糞尿タンクを真空ポンプにより減圧して、前記糞尿タンクに接続されたホースから排泄物を吸引する工程、及び／又は、前記糞尿タンクを真空ポンプにより加圧して、前記糞尿タンクに接続されたホースから排泄物を排出する工程を有し、
前記真空ポンプに用いられる潤滑油が、臭気変調用油剤を含有することを特徴とする臭気変調方法。
２．前記臭気変調用油剤は、臭気変調成分及び油剤成分を含有する、項１に記載の臭気変調方法。
３．前記臭気変調成分は、フラン化合物及びピラン化合物から選択される少なくとも一種の含酸素複素環式化合物を含む、項２に記載の臭気変調方法。
４．前記含酸素複素環式化合物の含有量は、臭気変調成分を１００質量％として１〜２０質量％である、項３に記載の臭気変調方法。
５．前記フラン化合物は、フラネオール、フルフラール、５−メチルフルフラール、フルフリルメルカプタン、フルフリールアルコール、２−プロピオニルフラン、２−エチルフラン、メントフラン、２−メチル−３−フランチオール、２−メチル−３−テトラヒドロフランチオール、２−メチル−４，５−ジヒドロ−３−フランチオール、２−メチルフラン、２−メチルテトラヒドロフラン、２−ヘキサノイルフラン、２−ペンチルフラン、２−プロピルフラン、２−（３−フェニルプロピル）テトラヒドロフラン、２，３−ジヒドロベンゾフラン、２，４−ジメチル−４−フェニルテトラヒドロフラン、２−フルフリル−５−メチルフラン、２−ヘプチルフラン、２−メチルベンゾフラン、２−メチル−５−プロピオニルフラン、２−（５−エテニル−５−メチルテトラヒドロフラン−２−イル）−プロパナール、３−｛［２−メチル−（２ｏｒ４），５−ジヒドロ−３−フリル］チオ｝−２−メチルテトラヒドロフラン−３−チオール、２−エテニル−５−イソプロペニル−２−メチルテトラヒドロフラン、５−メチル−２−フランメタンチオール、６−メチル−２，３−ジヒドロチエノ［２，３−ｃ］フラン、２，５−ジメトキシテトラヒドロフラン、３−アセチル−２，５−ジメチルフラン、２−アセチル−５−メチルフラン、２−アセチルフラン、２−ブチルフラン、２，５−ジエチルテトラヒドロフラン、ジフルフリルジスルフィド、ジフルフリルエーテル、ジフルフリルスルフィド、及び２，５−ジメチル−３−フランチオールからなる群より選択される少なくとも一種である、項３又は４に記載の臭気変調方法。
６．前記フラン化合物の含有量は、臭気変調成分を１００質量％として０．１〜１０質量％である、項３〜５のいずれかに記載の臭気変調方法。
７．前記ピラン化合物は、マルトール、エチルマルトール、４−アセトキシ−３−ペンチルテトラヒドロピラン、３，５−ジヒドロキシ−６−メチル−２，３−ジヒドロ−４（４Ｈ）−ピラノン、６−エテニル−２，２，６−トリメチルテトラヒドロピラン、５−メチル−３−ブチルテトラヒドロピラン−４−イルアセテート、オクタヒドロ−２Ｈ−１−ベンゾピラン−２−オン、４−メチル−２−（２−メチル−１−プロペニル）テトラヒドロピラン、テアスピラン、ビティスピラン、（２Ｓ，４ａＲ，８ａＳ）−２，５，５，８ａ−テトラメチル−３，４，４ａ，５，６，８ａ−ヘキサヒドロ−２Ｈ−１−ベンゾピラン、６−エテニル−２，２，６−トリメチルテトラヒドロ−３（４Ｈ）−ピラノン、６−ヒドロキシジヒドロテアスピラン、６−アセトキシジヒドロテアスピラン、及び２，６−ジエチル−５−イソプロピル−２−メチルテトラヒドロ−２Ｈ−ピランからなる群より選択される少なくとも１種である、項３〜６のいずれかに記載の臭気変調方法。
８．前記ピラン化合物の含有量は、臭気変調成分を１００質量％として１〜１０質量％である、項３〜７のいずれかに記載の臭気変調方法。
９．前記臭気変調成分が、更に、バニリン系化合物を含有する、項３〜８のいずれかに記載の臭気変調方法。
１０.前記バニリン系化合物は、バニリン、エチルバニリン、アセトアルデヒドエチルバニリンアセタール、バニリンアセテート、エチルバニリンイソブチレート、アセトバニロン、エチルバニレート、エチルバニリンプロピレングリコールアセタール、メチルバニレート、バニリックアシド、バニリンイソブチレート、ブチルバニレート、バニリン２，３−ブタンジオールアセタール、及びバニリンラクテートからなる群より選択される少なくとも一種である、項９に記載の臭気変調方法。
１１．前記バニリン系化合物の含有量は、臭気変調成分を１００質量％として５〜２５質量％である、項９又は１０に記載の臭気変調方法。
１２．前記油剤成分は、非イオン性界面活性剤を含む、項２〜１１のいずれかに記載の臭気変調方法。
１３．前記油剤成分は、グリセリン脂肪酸エステル系非イオン性界面活性剤、ソルビタン脂肪酸エステル系非イオン性界面活性剤、ポリオキシエチレンソルビタン脂肪酸エステル系非イオン性界面活性剤、及びポリオキシソルビトール脂肪酸エステル系非イオン性界面活性剤からなる群より選択される少なくとも一種の脂肪酸エステル系非イオン性界面活性剤を含む、項２〜１１のいずれかに記載の臭気変調方法。
１４．前記油剤成分は、グリセロールモノオレエート、ソルビタンモノラウレート、ソルビタンモノオレエート、ソルビタントリオレエート、ソルビタンセキスオレエート、ポリオキシエチレンソルビタンモノオレエート、及びポリオキシエチレンソルビタントリオレエートからなる群より選択される少なくとも一種を含む、項２〜１１のいずれかに記載の臭気変調方法。
１５．前記油剤成分は、ＨＬＢが１１．０以下である、項２〜１４のいずれかに記載の臭気変調方法。
１６．前記油剤成分の含有量は、臭気変調成分を１００質量部として、１０〜４００質量部である、項２〜１５のいずれかに記載の臭気変調方法。
１７．前記潤滑油中の前記臭気変調用油剤の含有量は０．０１〜９９ｖｏｌ％である、項１〜１６のいずれかに記載の臭気変調方法。
【発明の効果】
【００１３】
本発明の臭気変調方法は、衛生車により便所から排泄物を吸引、排出する際に発生する不快な悪臭を異なる臭気に変調して他の不快でない臭いに感じさせて、排泄物の悪臭による不快感を容易に低減することができる。
【発明を実施するための形態】
【００１４】
以下、本発明の臭気変調方法について詳細に説明する。
【００１５】
本発明の臭気変調方法は、衛生車の糞尿タンクを真空ポンプにより減圧して、上記糞尿タンクに接続されたホースから排泄物を吸引する工程、及び／又は、上記糞尿タンクを真空ポンプにより加圧して、上記糞尿タンクに接続されたホースから排泄物を排出する工程を有し、上記真空ポンプに用いられる潤滑油が、臭気変調用油剤を含有する。
【００１６】
衛生車としては特に限定されず、従来公知の衛生車を用いることができる。このような衛生車は、通常吸引した排泄物を収容するための糞尿タンクを備えており、当該糞尿タンクには、排泄物を吸引及び排出するためのホースが接続されている。また、衛生車には、糞尿タンク内を減圧及び加圧するための真空ポンプも備えられている。
【００１７】
上記衛生車の糞尿タンクを真空ポンプにより減圧して、上記糞尿タンクに接続されたホースから排泄物を吸引する工程により、便所等から排泄物を吸引する。この際、減圧するために、糞尿タンク内の悪臭を含んだ空気が、糞尿タンク上部等の糞尿を吸引し難い箇所から吸引される。この空気は、配管を通って真空ポンプ内を通過し、排気口から排気される。排気口の先端には、通常脱臭器が備えられており、悪臭を含んだ空気は、脱臭器を通過して外部へ排出される。
【００１８】
上記真空ポンプとしては、作動のために潤滑油を用いる真空ポンプであれば特に限定されず、例えば、ベーンポンプ等が挙げられる。上記真空ポンプを作動させると、上記悪臭を含んだ空気が真空ポンプ内を通過する際に、真空ポンプ内の潤滑油と接触する。本発明の臭気変調方法では、上記潤滑油が臭気変調用油剤を含有するために、潤滑油と接触した際に糞尿の不快な悪臭が異なる臭気に変調され、悪臭による害が容易に低減される。
【００１９】
本発明の臭気変調方法は、上記糞尿タンクを真空ポンプにより加圧して、上記糞尿タンクに接続されたホースから排泄物を排出する工程を有していてもよい。上記工程においては、通常真空ポンプから空気が糞尿タンク内に送り込まれ、糞尿タンクが加圧されるが、空気が逆流した場合に、糞尿タンクから悪臭を含んだ空気が真空ポンプを通過することにより潤滑油と接触する。本発明の臭気変調方法では、上記工程において、悪臭を含む空気が逆流して、真空ポンプを通って排気口から排気された場合であっても、潤滑油が臭気変調用油剤を含有するために、潤滑油と接触した際に糞尿の不快な悪臭が異なる臭気に変調され、悪臭による害が容易に低減される。
【００２０】
本発明の臭気変調方法は、上記衛生車の糞尿タンクを真空ポンプにより減圧して、糞尿タンクに接続されたホースから排泄物を吸引する工程、及び、上記糞尿タンクを真空ポンプにより加圧して、糞尿タンクに接続されたホースから排泄物を排出する工程のうち、少なくとも一方の工程を有していればよい。糞尿タンクを真空ポンプにより減圧するために、糞尿タンク内の空気を外部に排出することとなるため、本発明の臭気変調方法においては、上記衛生車の糞尿タンクを真空ポンプにより減圧して、糞尿タンクに接続されたホースから排泄物を吸引する工程を行う場合に、排泄物の悪臭による害が低減されるとの効果が特に顕著になる。
【００２１】
（潤滑油）
本発明の臭気変調方法は、上記真空ポンプに用いられる潤滑油が、臭気変調用油剤を含有する。潤滑油中の臭気変調用油剤以外の成分としては特に限定されず、鉱物油等の真空ポンプに用いられる従来公知の潤滑油の成分を用いることができる。通常真空ポンプに用いられている市販の潤滑油に、後述する臭気変調用油剤を混合して用いてもよい。
【００２２】
潤滑油中の臭気変調用油剤の含有量は特に限定されず、０．０１〜９９ｖｏｌ％が好ましく、０．１〜５０ｖｏｌ％がより好ましく、０．１〜１０ｖｏｌ％が更に好ましく、０．５〜１．５ｖｏｌ％が特に好ましい。潤滑油中の臭気変調用油剤の含有量を上記範囲とすることにより、潤滑油としての機能を損なわず、真空ポンプの不具合の発生が抑制され、また、臭気変調用油剤の臭いが強くなり過ぎず、潤滑油が十分な臭気変調効果を発揮することができ、且つ、液安定性に優れる。
【００２３】
臭気変調用油剤を含有する潤滑油を真空ポンプに充填する際は、臭気変調用油剤と潤滑油とを撹拌混合して、臭気変調用油剤を含有する潤滑油を調製し、次いで、真空ポンプに充填して用いることができる。また、臭気変調用油剤と潤滑油とを別々に真空ポンプ内に充填し、次いで、真空ポンプを稼働させることにより、真空ポンプ内で臭気変調用油剤と潤滑油とを混合して、臭気変調用油剤を含有する潤滑油として用いてもよい。
【００２４】
（臭気変調用油剤）
上記臭気変調用油剤としては、臭気変調成分及び油剤成分を含有する臭気変調用油剤が挙げられる。以下、この臭気変調用油剤を例示的に説明する。
【００２５】
（臭気変調成分）
臭気変調成分は、フラン化合物及びピラン化合物から選択される少なくとも一種の含酸素複素環式化合物を含むことが好ましい。
【００２６】
（フラン化合物）
フラン化合物は、含酸素複素環式化合物であり、４個の炭素原子と１個の酸素原子により形成される５員環のフラン骨格を有していれば特に限定されない。フラン化合物としては、例えば、フラネオール、フルフラール、５−メチルフルフラール、フルフリルメルカプタン、フルフリールアルコール、２−プロピオニルフラン、２−エチルフラン、メントフラン、２−メチル−３−フランチオール、２−メチル−３−テトラヒドロフランチオール、２−メチル−４，５−ジヒドロ−３−フランチオール、２−メチルフラン、２−メチルテトラヒドロフラン、２−ヘキサノイルフラン、２−ペンチルフラン、２−プロピルフラン、２−（３−フェニルプロピル）テトラヒドロフラン、２，３−ジヒドロベンゾフラン、２，４−ジメチル−４−フェニルテトラヒドロフラン、２−フルフリル−５−メチルフラン、２−ヘプチルフラン、２−メチルベンゾフラン、２−メチル−５−プロピオニルフラン、２−（５−エテニル−５−メチルテトラヒドロフラン−２−イル）−プロパナール、３−｛［２−メチル−（２ｏｒ４），５−ジヒドロ−３−フリル］チオ｝−２−メチルテトラヒドロフラン−３−チオール、２−エテニル−５−イソプロペニル−２−メチルテトラヒドロフラン、５−メチル−２−フランメタンチオール、６−メチル−２，３−ジヒドロチエノ［２，３−ｃ］フラン、２，５−ジメトキシテトラヒドロフラン、３−アセチル−２，５−ジメチルフラン、２−アセチル−５−メチルフラン、２−アセチルフラン、２−ブチルフラン、２，５−ジエチルテトラヒドロフラン、ジフルフリルジスルフィド、ジフルフリルエーテル、ジフルフリルスルフィド、及び２，５−ジメチル−３−フランチオール等が挙げられる。これらの中でも、フラネオール、５−メチルフルフラール、フルフリルメルカプタンが好ましい。
【００２７】
フラン化合物の含有量は、臭気変調成分を１００質量％として０．１〜１０質量％が好ましく、０．４〜１０質量％がより好ましく、０．４〜３質量％が更に好ましく、０．４〜１．５質量％が特に好ましく、０．５〜１．２質量％が最も好ましい。フラン化合物の含有量を上記範囲とすることにより、排泄物の不快な悪臭を、より十分に異なる臭気に変調することができ、本発明の臭気変調方法により排泄物の悪臭による不快感をより十分に低減することができる。
【００２８】
上記フラン化合物は、一種単独で用いてもよいし、二種以上を混合して用いてもよい。
【００２９】
（ピラン化合物）
ピラン化合物は、含酸素複素環式化合物であり、５個の炭素原子と１個の酸素原子により形成される６員環のエーテル化合物を骨格とするピラン骨格を有していれば特に限定されない。ピラン化合物としては、例えば、マルトール、エチルマルトール、４−アセトキシ−３−ペンチルテトラヒドロピラン、３，５−ジヒドロキシ−６−メチル−２，３−ジヒドロ−４（４Ｈ）−ピラノン、６−エテニル−２，２，６−トリメチルテトラヒドロピラン、５−メチル−３−ブチルテトラヒドロピラン−４−イルアセテート、オクタヒドロ−２Ｈ−１−ベンゾピラン−２−オン、４−メチル−２−（２−メチル−１−プロペニル）テトラヒドロピラン、テアスピラン、ビティスピラン、（２Ｓ，４ａＲ，８ａＳ）−２，５，５，８ａ−テトラメチル−３，４，４ａ，５，６，８ａ−ヘキサヒドロ−２Ｈ−１−ベンゾピラン、６−エテニル−２，２，６−トリメチルテトラヒドロ−３（４Ｈ）−ピラノン、６−ヒドロキシジヒドロテアスピラン、６−アセトキシジヒドロテアスピラン、及び２，６−ジエチル−５−イソプロピル−２−メチルテトラヒドロ−２Ｈ−ピラン等が挙げられる。これらの中でも、マルトール、エチルマルトールが好ましい。
【００３０】
ピラン化合物の含有量は、臭気変調成分を１００質量％として１〜１０質量％が好ましく、１〜８質量％がより好ましく、１〜５質量％が更に好ましく、２〜５質量％が特に好ましい。ピラン化合物の含有量を上記範囲とすることにより、排泄物の不快な悪臭を、より十分に異なる臭気に変調することができ、本発明の臭気変調方法により排泄物の悪臭による不快感をより十分に低減することができる。
【００３１】
上記ピラン化合物は、一種単独で用いてもよいし、二種以上を混合して用いてもよい。
【００３２】
上記含酸素複素環式化合物の臭気変調剤成分中の含有量、すなわち、フラン化合物及びピラン化合物の含有量の合計は、臭気変調成分を１００質量％として、１〜２０質量％が好ましく、１〜１０質量％がより好ましく、１〜５質量％が更に好ましく、２〜５質量％が特に好ましい。含酸素複素環式化合物の含有量を上記範囲とすることにより、排泄物の不快な悪臭を、より十分に異なる臭気に変調することができ、本発明の臭気変調方法により排泄物の悪臭による不快感をより十分に低減することができる。
【００３３】
臭気変調成分中のフラン化合物と、ピラン化合物との含有量の比は、質量比でフラン化合物：ピラン化合物＝１：２〜１：５が好ましく、１：３〜１：４がより好ましい。フラン化合物と、ピラン化合物との含有量の比を上記範囲とすることにより、排泄物の不快な悪臭を、より十分に異なる臭気に変調することができ、本発明の臭気変調方法により排泄物の悪臭による不快感をより十分に低減することができる。
【００３４】
（バニリン系化合物）
臭気変調成分は、更にバニリン系化合物を含有することが好ましい。臭気変調成分がバニリン系化合物を含有することにより、排泄物の不快な悪臭を、より十分に異なる臭気に変調することができ、本発明の臭気変調方法により排泄物の悪臭による不快感をより十分に低減することができる。
【００３５】
バニリン系化合物は、バニリン骨格を有する化合物であれば特に限定されない。バニリン系化合物としては、例えば、バニリン、エチルバニリン、アセトアルデヒドエチルバニリンアセタール、バニリンアセテート、エチルバニリンイソブチレート、アセトバニロン、エチルバニレート、エチルバニリンプロピレングリコールアセタール、メチルバニレート、バニリックアシド、バニリンイソブチレート、ブチルバニレート、バニリン２，３−ブタンジオールアセタール、バニリンラクテート等が挙げられる。これらの中でも、バニリンが好ましい。
【００３６】
バニリン系化合物の含有量は、臭気変調成分を１００質量％として５〜２５質量％が好ましく、５〜２０質量％がより好ましく、１０〜２０質量％が更に好ましく、１０〜１５質量％が特に好ましい。バニリン系化合物の含有量を上記範囲とすることにより、排泄物の不快な悪臭を、より十分に異なる臭気に変調することができ、本発明の臭気変調方法により排泄物の悪臭による不快感をより十分に低減することができる。
【００３７】
上記バニリン系化合物は、一種単独で用いてもよいし、二種以上を混合して用いてもよい。
【００３８】
（ピリジン類）
臭気変調成分は、更にピリジン類を含有することが好ましい。臭気変調成分がピリジン類を含有することにより、排泄物の不快な悪臭を、より十分に異なる臭気に変調することができ、本発明の臭気変調方法により排泄物の悪臭による不快感をより十分に低減することができる。
【００３９】
ピリジン類は、含窒素複素環式芳香族化合物であり、５個の炭素原子と１個の窒素原子により形成される６員環構造を有するピリジンを骨格とするピリジン骨格を有していれば特に限定されない。ピリジン類としては、例えば、２−アセチルピリジン、３−アセチルピリジン、４−アセチルピリジン、２−アセチル−１，４，５，６−テトラヒドロピリジン、２−アセチル−４−イソプロペニルピリジン、４−アセチル−２−イソプロペニルピリジン、２−アセチル−４−イソプロピルピリジン、３，５−ジメチル−４，５，６，７−テトラヒドロチエノ［３，２−ｃ］ピリジン、２−アセチル−３，４，５，６−テトラヒドロピリジン等が挙げられる。これらの中でも、２−アセチルピリジンが好ましい。
【００４０】
ピリジン類の含有量は、臭気変調成分を１００質量％として、０．０１〜０．３質量％が好ましく、０．０５〜０．２質量％がより好ましく、０．０９〜０．１１質量％が更に好ましい。ピリジン類の含有量を上記範囲とすることにより、臭気変調用油剤が日常生活での生活環境や、産業において発生する悪臭を異なる臭気により変調し易くなり、これらの臭気による不快感を十分に低減することができる。
【００４１】
上記ピリジン類は、一種単独で用いてもよいし、二種以上を混合して用いてもよい。
【００４２】
（ピラジン類）
臭気変調成分は、更にピラジン類を含有することが好ましい。臭気変調成分がピラジン類を含有することにより、排泄物の不快な悪臭を、より十分に異なる臭気に変調することができ、本発明の臭気変調方法により排泄物の悪臭による不快感をより十分に低減することができる。
【００４３】
ピラジン類は、含窒素複素環式芳香族化合物であり、４個の炭素原子と２個の窒素原子により形成される６員環構造を有する化合物であるピラジンを骨格とするピラジン骨格を有していれば特に限定されない。ピラジン類としては、例えば、２−メチルチオ−３−メチルピラジン、２−メトキシ−３−メチルピラジン、２−エチル−３（５／６）ジメチルピラジン、２−エチル−３−メチルピラジン、２−メトキシ−５−メチルピラジン、２−アセチル−３（５／６）−ジメチルピラジン、２−アセチル−３−エチルピラジン、２−アセチル−３−メチルピラジン、アセチルピラジン、２−（フルフリルチオ）−（３／５／６）−メチルピラジン、２−メチル−（５／６）−（メチルチオ）ピラジン、２−エチル−３−（メチルチオ）ピラジン、２−イソプロピル−３−（メチルチオ）ピラジン、２−ｓｅｃ−ブチル−３−メトキシピラジン、２−エトキシ−（３／５／６）−メチルピラジン、２−エトキシ−３−エチルピラジン、２−エトキシ−３−イソプロピルピラジン、２−エチル−３−メトキシピラジン、２−ヘキシル−３−メトキシピラジン、２−イソブチル−３−メトキシピラジン、２−イソプロポキシ−３−メチルピラジン、２−イソプロピル−（３／５／６）−メトキシピラジン、２−メトキシ−（５／６）−メチルピラジン、２−メトキシ−３，５−ジメチルピラジン、２−イソプロピル−３−メトキシピラジン、メトキシピラジン、２−メチル−６−プロポキシピラジン、２−エトキシ−（５／６）−メチルピラジン及び２−（ヒドロキシメチル）−５−メチルピラジン等が挙げられる。これらの中でも、２−メチルチオ−３−メチルピラジン、２−メトキシ−３−メチルピラジン、２−エチル−３（５／６）ジメチルピラジン、２−エチル−３−メチルピラジンが好ましい。
【００４４】
ピラジン類の含有量は、臭気変調成分を１００質量％として０．０１〜０．５質量％が好ましく、０．０５〜０．５質量％がより好ましく、０．０５〜０．３質量％が更に好ましく、０．１〜０．３質量％が特に好ましい。ピラジン類の含有量を上記範囲とすることにより、排泄物の不快な悪臭を、より十分に異なる臭気に変調することができ、本発明の臭気変調方法により排泄物の悪臭による不快感をより十分に低減することができる。
【００４５】
上記ピラジン類は、一種単独で用いてもよいし、二種以上を混合して用いてもよい。
【００４６】
臭気変調成分は、本発明の効果を妨げない限り、他の添加剤を含有していてもよい。他の添加剤としては、例えば、上記フラン化合物、ピラン化合物、バニリン系化合物、ピリジン類及びピラジン類以外のテルペンアルコール系化合物、エステル系化合物、アルデヒド系化合物、ケトン系化合物等が挙げられる。
【００４７】
臭気変調成分中の上記他の添加剤の含有量の合計は、臭気変調成分を１００質量％として３０質量％以下が好ましく、２０質量％以下がより好ましく、１０質量％以下が更に好ましく、５質量％以下が特に好ましい。他の添加剤の含有量の合計を上記範囲とすることにより、臭気変調用油剤が日常生活での生活環境や、産業において発生する悪臭を異なる臭気により変調し易くなり、これらの臭気による不快感を十分に低減することができる。
【００４８】
（溶媒）
臭気変調成分において、上記各成分は、溶媒中に分散していることが好ましい。各成分が溶媒中に分散していることにより、臭気変調用油剤中に各成分が均一に分散することができ、臭気変調用油剤が液安定性に優れ、臭気変調効果をより効果的に発揮することができる。
【００４９】
溶媒としては水、溶剤を用いることができるが、油剤成分との相溶性に優れる点で、溶剤が好ましい。溶剤としては特に限定されず、例えば、アルコール、エーテル、ケトン、エステル等が挙げられる。中でも、油剤成分との相溶性に特に優れる点で、アルコール、エステルが好ましい。
【００５０】
上記アルコールとしては特に限定されず、モノアルコール、又は、ジオール、トリオール等のポリオールが挙げられる。また、上記アルコールとしては、炭素数２〜４のアルコールを好適に用いることができる。上記アルコールの炭素数は、２〜３がより好ましい。
【００５１】
上記アルコールとしては、具体的には、エタノール、プロピレングリコール、グリセリン、２−２（エトキシエトキシ）エタノール等が挙げられ、臭気変調用油剤を使用した際に、有害性が低い点で、エタノール、２−２（エトキシエトキシ）エタノール、プロピレングリコールが好ましい。
【００５２】
上記エステルとしては特に限定されず、食品衛生法第１０条に基づき、厚生労働大臣が定めた指定添加物の中のエステルを好適に用いることができる。具体的には、食品衛生法施行規則別表１に収載されている「指定添加物」のうち、エステル類に分類される化合物を好適に用いることができる。これらの中でも、比較的臭いが弱く、他の成分の香りを妨げない点で、安息香酸ベンジル、トリエチルシトレート、イソプロピルミリステートをより好適に用いることができる。
【００５３】
上記溶媒は、一種単独で用いてもよいし、二種以上を混合して用いてもよい。
【００５４】
溶媒の含有量は、臭気変調成分を１００質量％として２０〜９０質量％が好ましく、３０〜９０質量％がより好ましく、４０〜８５質量％が更に好ましく、５０〜８５質量％が特に好ましい。溶媒の含有量を上記範囲とすることにより、臭気変調用油剤中に各成分が均一に分散することができ、臭気変調用油剤が液安定性に優れ、臭気変調効果をより効果的に発揮することができる。
【００５５】
（油剤成分）
油剤成分は、上記臭気変調成分に用いられる成分と異なる成分を含む油剤であれば特に限定されない。上記油剤成分としては、臭気変調成分との相溶性に優れ、且つ、真空ポンプに用いられる潤滑油中での相溶性に優れる油剤成分を用いることが好ましい。このような油剤成分としては、非イオン性界面活性剤を含む油剤成分が挙げられる。
【００５６】
上記非イオン性界面活性剤としては特に限定されず、例えば、脂肪酸エステル系非イオン性界面活性剤等を用いることができる。脂肪酸エステル系非イオン性界面活性剤としては、グリセリン脂肪酸エステル系非イオン性界面活性剤、ソルビタン脂肪酸エステル系非イオン性界面活性剤、ポリオキシエチレンソルビタン脂肪酸エステル系非イオン性界面活性剤、ポリオキシソルビトール脂肪酸エステル系非イオン性界面活性剤等が挙げられ、中でも、機械に用いられる潤滑油との相溶性により優れる点で、グリセリン脂肪酸エステル系非イオン性界面活性剤、ソルビタン脂肪酸エステル系非イオン性界面活性剤、ポリオキシエチレンソルビタン脂肪酸エステル系非イオン性界面活性剤が好ましい。
【００５７】
上記非イオン性界面活性剤としては、より具体的には、グリセロールモノオレエート、ソルビタンモノラウレート、ソルビタンモノオレエート、ソルビタントリオレエート、ソルビタンセキスオレエート、ポリオキシエチレンソルビタンモノオレエート、ポリオキシエチレンソルビタントリオレエート等が、真空ポンプに用いられる潤滑油中での相溶性により優れる点で好適に用いることができる。
【００５８】
上記油剤成分は、一種単独で用いてもよいし、二種以上を混合して用いてもよい。
【００５９】
油剤成分のＨＬＢは、１１．０以下が好ましく、１０．０以下がより好ましく、９．０以下が更に好ましく、５．０以下が特に好ましい。また、油剤成分のＨＬＢは、２．５以上が好ましい。油剤成分のＨＬＢを上記範囲とすることにより、真空ポンプに用いられる潤滑油中での相溶性が、より向上する。
【００６０】
なお、上記ＨＬＢ（Ｈｙｄｒｏｐｈｉｌｅ−Ｌｉｐｏｐｈｉｌｅ  Ｂａｌａｎｃｅ）は親水親油バランス値を示す。本明細書において、上記ＨＬＢは、グリフィン法により、下記式に基づいて算出される値である。なお、油剤成分を二種以上混合して用いる場合は、それぞれのＨＬＢ値の平均値である。
[ＨＬＢ]＝２０×（油剤成分内の親水基の割合（質量％））
【００６１】
臭気変調用油剤中の油剤成分の含有量は、臭気変調成分を１００質量部として、１０〜４００質量部が好ましく、５０〜１５０質量部がより好ましい。油剤成分の含有量を上記範囲とすることにより、臭気変調用油剤がより優れた臭気変調性を示すことができ、且つ、真空ポンプに用いられる潤滑油中での相溶性が、より向上する。
【００６２】
上記油剤成分は、本発明の効果を妨げない限り、上記非イオン界面活性剤の他に、他の油剤を含有していてもよい。
【００６３】
臭気変調用油剤は、本発明の効果を妨げない限り、上記臭気変調成分及び油剤成分の他に、他の添加剤を含有していてもよい。
【実施例】
【００６４】
以下に実施例及び比較例を示して本発明を具体的に説明する。但し、本発明は実施例に限定されない。
【００６５】
実施例１
（臭気変調成分の調製）
表１に示す臭気変調成分の原料を、混合槽に投入して混合、撹拌し、臭気変調成分を調製した。具体的には、加熱装置を備えた混合槽に、表１に示す配合により溶媒を投入し、次いで他の原料を順次添加して、２０℃の条件下で３０分間撹拌して、臭気変調成分を調製した。
【００６６】
（臭気変調用油剤の調製）
油剤成分として、ソルビタンモノオレエート（ＨＬＢ４．３）を用意し、上記のようにして調製した臭気変調成分と、ソルビタンモノオレエートとを質量比で１：１の割合となるように混合槽中で常温で混合し、臭気変調用油剤を調製した。
【００６７】
（潤滑油の調製）
上記のようにして調製した臭気変調用油剤５０ｃｃ、及び、潤滑油４９５０ｃｃを、衛生車（バキュームカー）の真空ポンプ内にそれぞれ充填した。真空ポンプを稼働させることにより、臭気変調用油剤と潤滑油とが混合されて、臭気変調用油剤を１ｖｏｌ％含有する、５Ｌの潤滑油が調製された。これを用いて、以下の臭気変調試験を行い、評価した。
【００６８】
（臭気変調試験）
上記のようにして得られた、臭気変調用油剤を含有する潤滑油が充填された真空ポンプを備える衛生車により、くみ取り現場でくみ取りを行い、作業者により、臭いを下記評価基準に従って評価した。なお、下記評価において、３以上であれば臭気変調効果が得られていると評価される。
５：糞尿の臭いを全く感じず、非常によい臭いだと感じた
４：糞尿の臭いを殆ど感じず、よい臭いだと感じた
３：糞尿の臭いを若干感じたが、不快でないと感じた
２：糞尿の臭いを感じ、よい臭いだと感じなかった
１：糞尿の臭いを強く感じ、不快な臭いだと感じた
【００６９】
上記評価を２回行った。１回目の結果を表２に示し、２回目の結果を表３に示す。
【００７０】
【表１】
2018015429.tif 000002
【００７１】
【表２】
2018015429.tif 000003
【００７２】
【表３】
2018015429.tif 000004